(57)【要約】【課題】従来の金網型枠は、折り曲げた鉛直鋼線１の直径に相当する寸法だけ、最上段の水平鋼線２の上に突起部が形成されるために吹付け後のコンクリート４をコテ３で均す場合に、コテ３を最上段の水平鋼線２に沿って動かして行くと、コテ３が鉛直鋼線１に当ってしまう。そのために滑らかな仕上げに手数を要するものであった。【解決手段】複数本の鉛直鋼線１と、複数本の水平鋼線とを網合わせて形成した金網を枠材用金網として使用する。この枠材用金網を、２枚を相対抗させ、これらの枠材間を連結部材によって連結する。枠材用金網の鉛直鋼線１の先端を湾曲させて包囲部１１を形成し、この包囲部１１によって最上段の水平鋼線２を包囲する。一方、包囲された水平鋼線は、包囲部１１において、少なくとも鉛直鋼線１の断面の直径に相当する寸法だけ、下方に向けてＵ字状に曲げて形成する。【選択図】        図２
2005105735.tif 000002
【特許請求の範囲】
【請求項１】
複数本の鉛直鋼線と、複数本の水平鋼線とを網合わせて形成した金網を枠材用金網として使用し、
この枠材用金網を、２枚を相対抗させ、
これらの枠材間を連結部材によって連結してなる法枠用金網において、
枠材用金網の鉛直鋼線の先端を湾曲させて包囲部を形成し、
この包囲部によって最上段の水平鋼線を包囲させ、
包囲された水平鋼線は、
包囲部において、少なくとも鉛直鋼線の断面の直径に相当する寸法だけ下方に向けてＵ字状に曲げてＵ字部を形成した、
法枠用金網。
【請求項２】
複数本の水平鋼線の内で、
最上段に位置する水平鋼線は、
他の水平鋼線とは異なる色彩の鋼線を使用して形成した、
請求項１記載の、法枠用金網。
【請求項３】
複数本の水平鋼線の内で、
最上段に位置する水平鋼線は、
他の水平鋼線よりも剛性の大きい鋼線を使用して形成した、
請求項１記載の、法枠用金網。
【発明の詳細な説明】
【技術分野】
【０００１】
本発明は、法枠用金網に関するものである。
【背景技術】
【０００２】
法枠とは、切土した斜面の崩壊を防ぐために法面の上に設置した十文字状のコンクリート製の枠のことである。
この法枠を形成する方法として、金網の枠体を法面上に配置し、この金網枠体で包囲された空間にコンクリートを圧送して吹き付ける方法が採用されている。
そしてこの法枠用金網としては、複数本の鉛直鋼線と、複数本の水平鋼線とを網合わせて形成した金網を枠材用金網として使用し、この枠材用金網を、２枚を相対抗させ、これらの枠材間を連結部材によって連結してなる法枠用金網が知られている。
これらの法枠用金網において、特に図４に示すように鉛直鋼線ａの先端を内側に折り曲げ、この折り曲げ部ｃによって水平鋼線ｂを抱き込み、鉛直鋼線ａの先端が作業中に作業衣などが引っかかったり、肌を傷付けたりしないように構成した金網も知られている。
【特許文献１】実開平２−１０６０４４号公報
【発明の開示】
【発明が解決しようとする課題】
【０００３】
前記した従来の法枠用金網にあっては、次のような問題点がある。
＜１＞図５に示すように、折り曲げ部ｃにおいては、折り曲げた鉛直鋼線ａの直径に相当する寸法だけ、最上段の水平鋼線ｂの上に突起部が形成されることになる。
＜２＞そのために吹付け後のコンクリートｅをコテｄで均す場合に、コテｄを最上段の水平鋼線ｂに沿って動かして行くと、コテｄが鉛直鋼線ａの折り曲げ部ｃに当ってしまう。そのために滑らかな仕上げに手数を要する。
＜３＞鉛直鋼線の折り曲げ部ｃだけをコンクリートｅの表面から突出しておくとその部分がサビて、腐食が進むとともに、サビの色が周囲のコンクリートｅ表面に広がり汚染される。
【課題を解決するための手段】
【０００４】
上記のような従来の課題を解決するために、本発明の法枠用金網は、複数本の鉛直鋼線と、複数本の水平鋼線とを網合わせて形成した金網を枠材用金網として使用し、この枠材用金網を、２枚を相対抗させ、これらの枠材間を連結部材によって連結してなる法枠用金網において、枠材用金網の鉛直鋼線の先端を湾曲させて包囲部を形成し、この包囲部によって最上段の水平鋼線を包囲させ、包囲された水平鋼線は、包囲部において、少なくとも鉛直鋼線の断面の直径に相当する寸法だけ、下方に向けてＵ字状に曲げてＵ字部を形成した法枠用金網を特徴としたものである。
【発明の効果】
【０００５】
本発明の法枠用金網は以上説明したようになるから次のような効果を得ることができる。
＜１＞折り曲げ鉛直鋼線の直径に相当する寸法だけ、最上段の水平鋼線が下方にＵ字状に曲げてあるから、水平鋼線の上に突起部が形成されない。
＜２＞そのために吹付け後のコンクリートをコテで均す場合に、コテを最上段の水平鋼線に沿って動かして行くだけで、容易に滑らかな表面仕上げをすることができる。
＜３＞さらに最上段の水平鋼線の他の水平鋼線とは異なる色彩の鋼線を使用し、その色彩を各種の寸法に対応させておけば、取り扱う作業員は簡単に寸法を確認することができ、間違えることがない。特に法枠用金網は、急な傾斜面を持ち上げて配置するものであるから、寸法を間違えてすべてやり直すことは多大な労働の浪費となり、そのような危険が避けられることは大きな経済的価値を有する。
＜４＞一般に金網型枠は軽量で柔軟性に富んでいることも特徴のひとつではあるが、組み立て終わって遠方から観察すると部分的にゆがみが発生している場合もあり、そうであると商品価値が低下してしまう。その点、複数本の水平鋼線の内で最上段に位置する水平鋼線を他の水平鋼線よりも剛性の大きい鋼線を使用して形成しておけば、ゆがみが発生し難く、金網型枠を法面上で組み立てた際に、遠方から見て整然とした直線を描くことができる。
【発明を実施するための最良の形態】
【０００６】
本発明を実施するための最良の形態は、複数本の鉛直鋼線と、複数本の水平鋼線とを網合わせて形成した金網を枠材用金網として使用し、この枠材用金網を、２枚を相対抗させ、これらの枠材間を連結部材によって連結してなる法枠用金網において、枠材用金網の鉛直鋼線の先端を湾曲させて包囲部を形成し、この包囲部によって最上段の水平鋼線を包囲させ、包囲された水平鋼線は、包囲部において、少なくとも鉛直鋼線の断面の直径に相当する寸法だけ、下方に向けてＵ字状に曲げてＵ字部を形成した、法枠用金網である。
【実施例】
【０００７】
以下図面を参照しながら本発明の法枠用金網の実施例について説明する。
＜１＞枠材用金網。
型枠とはコンクリートやモルタルを打設する場合にその外形面を形成するための枠体のことである。  
本発明の型枠は、枠材用金網Ａを使用し、この金網で面を構成する。
この枠材用金網Ａは、複数本の鉛直鋼線１と、複数本の水平鋼線２とを網合わせて形成した金網である。
【０００８】
＜２＞法枠用金網。
上記のような枠材用金網Ａを使用し、この枠材用金網Ａを、２枚を相対抗させて設置する。
そしてこれらの枠材間を連結部材Ｂによって連結する。
特に連結部材Ｂを鋼線で形成し、この鋼線によって２枚の枠材用金網Ａを折りたたみ自在に連結することもできる。
【０００９】
＜３＞包囲部。
上記のように構成した枠材用金網において、特にその鉛直鋼線１の先端を内側に湾曲させて包囲部１１を形成する。
そしてこの包囲部１１によって最上段の水平鋼線２を周囲から包囲させる。
この包囲によって鉛直鋼線１と、最上段の水平鋼線２とは強固に一体となる。
【００１０】
＜４＞Ｕ字部。
一方、包囲された方の水平鋼線は、直線状態を維持せず、包囲部１１において下方に向けてＵ字状に曲げてＵ字部２１を形成する。
ただし、いい加減に曲げるのではなく、少なくとも鉛直鋼線１の断面の直径に相当する寸法だけ、下方に向けてＵ字状に曲げてＵ字部２１を形成する。
したがって、包囲部１１の上面と最上段の水平鋼線２の上面とは、同一の平面を形成することになる。
あるいは少なくともＵ字部２１が水平鋼線２の上面から上方へ突出することはない。
【００１１】
＜５＞コテ均し作業。
上記の構成の法枠用金網の内部にコンクリート４を打設する。
コンクリート４の打設後にはその表面をコテ３で均一に均す必要がある。
その場合にコテ３を最上段の水平鋼線２の上面に沿って移動させると、鉛直鋼線１との交差部、すなわち包囲部１１においては、包囲部１１の上面と、最上段の水平鋼線２の上面とは、同一の平面を形成している。
したがってコテ３を水平鋼線の上面に沿って移動させるだけで、均一な仕上げ面を確保することができ、熟練工でなくとも容易に整然とした仕上げ面を作り上げることができる。
【００１２】
＜６＞識別表示。
法枠は法面の傾斜や土質、含水率などによって崩壊する可能性を検討し、それに耐える構造のものを設置する。
そのために、型枠となる法枠用金網には各種の寸法のものが製造されており設計値に応じて最適のものを選択して使用する。
したがって現場では複数の寸法の違う金網が運び込まれる場合があるが、寸法の違いはわずかであるから、寸法を間違えて法面に運び上げてしまう可能性も考えられる。
そのような事故を防止するために本発明の法枠用金網では、複数本の水平鋼線の内で最上段に位置する水平鋼線２を、他の水平鋼線とは異なる色彩の鋼線を使用する。
例えば金網の高さが３０ｃｍの法枠用金網では、最上段の水平鋼線２を緑色のものを採用し、３５ｃｍのものは赤色、４０ｃｍでは水色のものを採用する。
すると監督者は熟練していない作業員に対しても、単に色を指定するだけで寸法を指定できるから、寸法間違えが発生することがなく、監督者は安心して作業を任すことができる。
【００１３】
＜７＞剛性の確保。
金網の型枠は金属や木製の型枠と異なり、軽量であることと柔軟性に富んでいることが特徴のひとつである。
その反面、金網は変形がし易いことから直線性が維持できなくなる可能性もある。もしゆがんだままの型枠内にコンクリートを打設してしまうと、完成後に遠方から見ると整然としているはずの法枠がゆがんでしまうことになり、商品価値が低下する。
そのような問題の発生を防止するために、本発明の法枠用金網では、複数本の水平鋼線の内で、最上段に位置する水平鋼線２を他の水平鋼線よりも剛性の大きい鋼線を使用して形成することができる。
例えば最上段の水平鋼線２だけを、他の鋼線よりも直径の太いものを採用する。すると法枠用金網全体としては柔軟性、軽量を確保しておきながら、直線性を維持することができる。
そのために型枠内のコンクリートを吹き付けて法枠が完成した場合に、不規則なゆがみが発生することがなく、整然とした法枠を施工して施主に引き渡すことができる。
【図面の簡単な説明】
【００１４】
【図１】本発明の法枠用金網の実施例の説明図。
【図２】法枠用金網の要部の実施例の説明図。
【図３】コテ均し作業の説明図。
【図４】従来の法枠用金網の実施例の説明図。
【図５】従来の法枠用金網におけるコテ均し作業の説明図。
【符号の説明】
【００１５】
１：鉛直鋼線
２：最上段の水平鋼線
１１：包囲部
２１：Ｕ字部
４：コンクリート
【図１】
2005105735.tif 000003
【図２】
2005105735.tif 000004
【図３】
2005105735.tif 000005
【図４】
2005105735.tif 000006
【図５】
2005105735.tif 000007